(57)【要約】【課題】ユーザが広告を見る割合を高めること。【解決手段】広告配信サーバ１００は、クライアント１１０とネットワークを介して接続する。クライアント１１０からコンテンツデータへのアクセスを受け付けるアクセス受付部１０１と、アクセスを受け付けた場合にクライアント１１０に広告を配信する広告配信部１０２と、クライアント１１０にて配信した広告が選択された旨を示す選択情報がクライアント１１０から送信されると、その選択情報に基づいて選択された広告と関連する広告動画及びコンテンツデータをクライアント１１０に配信する広告動画配信部１０３と、を備える。【選択図】図１
2010181555.tif 000002
【特許請求の範囲】
【請求項１】
クライアント装置とネットワークを介して接続する広告配信サーバであって、
前記クライアント装置からコンテンツデータへのアクセスを受け付けるアクセス受付手段と、
前記アクセスを受け付けた場合に前記クライアント装置に広告を配信する広告配信手段と、
前記クライアント装置にて前記広告が選択された旨を示す選択情報が前記クライアント装置から送信されると、前記選択情報に基づいて前記広告と関連する広告動画及び前記コンテンツデータを前記クライアント装置に配信する広告動画配信手段と、
を備えることを特徴とする、広告配信サーバ。
【請求項２】
前記広告は、複数の種類のものが異なる大きさで表示されるものであることを特徴とする、請求項１記載の広告配信サーバ。
【請求項３】
前記クライアント装置にて前記広告が選択された回数を前記広告毎に記憶する選択情報記憶手段を備え、
前記広告配信手段は、前記広告が選択された回数に応じて、前記大きさを決定することを特徴とする、請求項２記載の広告配信サーバ。
【請求項４】
前記広告動画は、前記クライアント装置の表示部全体を使用して再生される動画であることを特徴とする、請求項１から３のいずれか１項記載の広告配信サーバ。
【請求項５】
前記コンテンツデータは、前記広告動画の再生が終了したのちに表示されることを特徴とする、請求項４記載の広告配信サーバ。
【請求項６】
クライアント装置とネットワークを介して接続するサーバコンピュータを、
前記クライアント装置からコンテンツデータへのアクセスを受け付けるアクセス受付手段と、
前記アクセスを受け付けた場合に前記クライアント装置に広告を配信する広告配信手段と、
前記クライアント装置にて前記広告が選択された旨を示す選択情報が前記クライアント装置から送信されると、前記選択情報に基づいて前記広告と関連する広告動画及び前記コンテンツデータを前記クライアント装置に配信する広告動画配信手段として機能させることを特徴とする、広告配信プログラム。
【発明の詳細な説明】
【技術分野】
【０００１】
本発明は、広告配信サーバ及びプログラムに関し、特に、ユーザの広告視聴回数の向上に関する。
【背景技術】
【０００２】
本発明の関連技術として、特許文献１，２に記載の技術を挙げる。特許文献１には、段落００１３，１５等を参照すると、広告データをコンテンツデータの送信に先立って配信するコンテンツ配信サーバについて記載がある。特許文献２には、段落００２３ないし００２９，００３９，００４０等を参照すると、コンテンツ配信サーバから送信された広告を表示し、それを視聴したユーザによる利用確認を待って、コンテンツの送信をサーバに開始させるユーザ端末について記載がある。
【先行技術文献】
【特許文献】
【０００３】
【特許文献１】特開２００３−２４２４０２号公報
【特許文献２】特開２００６−１２００５１号公報
【発明の概要】
【発明が解決しようとする課題】
【０００４】
従来のＷｅｂにおける広告課金モデルでは、メインコンテンツと広告コンテンツが同一ページに混在するために１回の閲覧におけるクリックする割合を高くしがたいという課題があった。
【０００５】
そこで本発明は、上記実情に鑑みて、ユーザが広告を見る割合を高めた広告配信サーバ及びプログラムを提供することを目的とする。
【課題を解決するための手段】
【０００６】
上記目的を達成するために本発明は、次の構成の広告配信サーバ及びプログラムを提供する。
【０００７】
本発明に係る広告配信サーバは、クライアント装置とネットワークを介して接続する広告配信サーバであって、前記クライアント装置からコンテンツデータへのアクセスを受け付けるアクセス受付手段と、前記アクセスを受け付けた場合に前記クライアント装置に広告を配信する広告配信手段と、前記クライアント装置にて前記広告が選択された旨を示す選択情報が前記クライアント装置から送信されると、前記選択情報に基づいて前記広告と関連する広告動画及び前記コンテンツデータを前記クライアント装置に配信する広告動画配信手段と、を備えることを特徴とする。
【０００８】
本発明に係る広告配信プログラムは、クライアント装置とネットワークを介して接続するサーバコンピュータを、前記クライアント装置からコンテンツデータへのアクセスを受け付けるアクセス受付手段と、前記アクセスを受け付けた場合に前記クライアント装置に広告を配信する広告配信手段と、前記クライアント装置にて前記広告が選択された旨を示す選択情報が前記クライアント装置から送信されると、前記選択情報に基づいて前記広告と関連する広告動画及び前記コンテンツデータを前記クライアント装置に配信する広告動画配信手段として機能させることを特徴とする。
【発明の効果】
【０００９】
本発明によれば、ユーザが広告を見る割合を高めることが可能となる。
【図面の簡単な説明】
【００１０】
【図１】本発明による実施形態に係る広告配信システムの構成を示すブロック図である。
【図２】本発明による実施形態に係る広告配信システムの動作を示すフローチャートである。
【図３】本発明による実施形態に係る広告配信サーバのクライアントに表示される広告の一例を示す図である。
【図４】本発明による実施形態に係る広告配信サーバの動作を示すフローチャートである。
【発明を実施するための形態】
【００１１】
以下、本発明を実施するための形態について図面を参照して説明する。
【００１２】
図１を参照すると、本実施形態に係る広告配信システムが示されている。図１に示すように、広告配信システムは、プログラム制御により動作する広告配信サーバ１００と、クライアント１１０とを含む。広告配信サーバ１００は、例えば中央演算装置、記憶装置等を備えた汎用のコンピュータにソフトウェアプログラムを動作させることによって実現することができ、その機能構成は、アクセス受付部１０１、広告配信部１０２、広告動画配信部１０３、選択情報記憶部１０４を備える構成である。また、クライアント１１０は、表示部１１１と操作部１１２を備える。
【００１３】
これらの手段はそれぞれ概略次のように動作する。広告配信サーバ１００は、クライアント１１０により指示されたＷｅｂページデータをクライアント１１０に送付する。クライアント１１０は、Ｗｅｂページデータをユーザへ表示し、ユーザからの指示を受ける。
【００１４】
図２を参照すると、本実施形態に係る広告配信システムの動作の流れが示されている。図２において、ユーザが該当コンテンツのページにアクセスした場合、広告のみが表示されたページが表示される（ステップＳ１０１）。
【００１５】
ユーザが操作部１１２を用いて広告を選択する（ステップＳ１０２）と、選択した広告の動画がクライアント１１０の表示部１１１全体を使用して再生される（ステップＳ１０３）。再生終了後、メインコンテンツが表示される（ステップＳ１０４）。ステップＳ１０４において、３０秒間だけ表示部１１１の最下部にユーザが選択した広告の詳細ページを確認できるリンクボタンが表示される（ステップＳ１０５）。
【００１６】
次に、ステップＳ１０１の広告表示方法に関して図３を用いて詳細に説明する。図３に示すように、広告は複数の種類のものが異なる大きさで表示される。ユーザはステップＳ１０１において、どの広告を選択しても良い。ステップＳ１０３で再生される動画は、ステップＳ１０１でユーザが選択した広告に関連付けられた動画である。動画の再生時間はユーザの心理的許容範囲である１５秒〜３０秒が望ましい。
【００１７】
また、広告の大きさは、他のどの広告よりも明らかに大きい範囲で表示される広告が必ず１つ表示される。
【００１８】
サービス側はユーザ毎の行動を監視し、サービス側が任意に選択した期間において、それぞれのユーザがどの広告を何回選択したか記憶する。ある１人のユーザにおいて、そのユーザに選択される頻度が高い広告は、そのユーザが該当コンテンツのページにアクセスした際に、他のどの広告よりも明らかに大きい範囲で表示される広告としてステップＳ１０１にて表示される。理由は、そのユーザが前記広告に比較的高い興味関心を持っているためである。これにより、ステップＳ１０１の画面が、より選択されやすいページ構成になる。
【００１９】
広告主は、広告が選択された回数を基に掲載料をサービス側に支払う。また、付加契約としてユーザが広告で表示した商品やサービスを購入した事実を基に掲載料をサービス側に支払っても良い。
【００２０】
次に、上述の広告配信システムの動作を実現させるための、広告配信サーバ１００の備える各部の動作について、図４のフローチャートを参照して説明する。
【００２１】
図４において、広告配信サーバ１００のアクセス受付部１０１は、クライアント１１０からユーザが所望するコンテンツデータへのアクセス要求が送信されてくると、まずはこれを受け付ける（ステップＳ２０１）。
【００２２】
次に、広告配信部１０２は、アクセス要求を送信したクライアント１１０に広告を配信する（ステップＳ２０２）。なお、図３に示したように、配信する広告は複数であってもよい。また、広告配信部１０２は選択情報記憶部１０４にユーザ毎に記憶されている各広告を視聴した回数に基づいて、表示部１１１にて表示する大きさを決定して配信する。また、配信した各広告には、広告ＩＤが付されており、ユーザが広告を選択した際、その広告の広告ＩＤが選択情報に含まれてクライアント１１０から広告配信サーバ１００へ送信される。
【００２３】
次に、アクセス受付部１０１は、クライアント１１０から送信される情報に選択情報があるか否かを判断する（ステップＳ２０３）。ある場合（ステップＳ２０３，Ｙｅｓ）後段の処理に進む。換言すれば、選択情報が送信されるまでコンテンツデータの配信等の処理を行わない。
【００２４】
次に、選択情報記憶部１０４は、送信されてきた選択情報を記憶する（ステップＳ２０４）。次に、広告動画配信部１０３は、当該選択情報に含まれる広告ＩＤと関連付けられた広告動画とステップＳ２０１で要求を受け付けたコンテンツデータを、クライアント１１０に送信する（ステップＳ２０５）。なお、ここで広告動画とコンテンツデータの配信タイミングは、広告動画の長さ（１５〜３０秒程度）分だけコンテンツデータの配信を広告動画に対して遅らせる。あるいは、同時に配信し、広告動画の再生終了後コンテンツデータが表示するようにソフトウェアプログラムで制御する。
【００２５】
上記実施形態によれば、広告が視聴される回数が従来構成のコンテンツページよりも増加することが実現する。理由は、ユーザが広告を選択しなければ所望のコンテンツにアクセスできないためである。
【００２６】
また、上記実施形態によれば、どの広告がそれぞれのユーザにとって興味関心があるかをサービス側が把握できる。理由は、どの広告が何回選択されたかを確認し、記憶するためである。
【００２７】
また、上記実施形態によれば、それぞれのユーザが興味関心を持つ広告を効率的に提供することができる。理由は、上記２つめの効果を利用してユーザが選択する頻度が高い広告を大きい範囲の広告として提示できるからである。
【００２８】
以上、本発明の好適な実施の形態について説明したが、本発明はこれに限定されるものではなく、要旨を逸脱しない範囲内で種々の変形実施が可能である。例えば、図３では広告の数を４つとしているが、表示可能な限り何個配置しても良い。また、図１では１つのサーバに接続されているクライアント１１０は１つしかないが、複数であっても良い。
【００２９】
なお、本発明は、ユーザが公衆無線／有線ＬＡＮサービスを利用する際のスタートページに適用すると有効である。
【符号の説明】
【００３０】
１００    広告配信サーバ
１０１    アクセス受付部
１０２    広告配信部
１０３    広告動画配信部
１０４    選択情報記憶部
１１０    クライアント
１１１    表示部
１１２    操作部
【図１】
2010181555.tif 000003
【図２】
2010181555.tif 000004
【図３】
2010181555.tif 000005
【図４】
2010181555.tif 000006